(57)【要約】【課題】吸収性物品の吸収性本体部と着用者との間に大きな空間を形成する。【解決手段】吸収性物品１は、略シート状の吸収性本体部２、吸収性本体部２の下に配置される下シート部３０１、および、下シート部３０１から連続するとともに吸収性本体部２の両側部上に配置される上シート部３０２を備える。吸収性物品１が着用者に装着される際には、吸収性物品１の長手方向の中間部において一対の下シート部３０１が広げられることにより、一対の起立部（すなわち、下シート部３０１および上シート部３０２）が高く起立し、吸収性本体部２と着用者との間に大きな空間２００が形成される。その結果、吸収コア２２の広い範囲を利用して排泄物の水分を効率良く吸収することができ、排泄物が吸収性物品１の外部へと漏れてしまうことを防止することができる。【選択図】図３
2010273875.tif 000002
【特許請求の範囲】
【請求項１】
着用者からの排泄物を受ける吸収性物品であって、
上面から排泄物の水分を吸収する略シート状の吸収性本体部と、
前記吸収性本体部の下に配置される下シート部と、
前記下シート部から連続するとともに前記吸収性本体部の両側部上に配置される上シート部と、
前記上シート部の自由端に沿って設けられて前記自由端を収縮させる弾性部材と、
を備え、
前記下シート部が、
前記吸収性本体部の一対の側方エッジから前記吸収性本体部の長手方向に伸びる中心線に向かって前記吸収性本体部の下に広がる第１シート部と、
前記第１シート部の内側エッジから前記中心線から離れる方向に向かって前記第１シート部の下に広がる第２シート部と、
を備え、
前記上シート部が、前記第２シート部の外側エッジから前記中心線に向かって前記吸収性本体部の上に広がる第３シート部を備え、
前記上シート部が、前記長手方向における前記吸収性本体部の両端部において前記吸収性本体部の前記上面に接合され、
前記下シート部が広げられることにより、前記上シート部の前記長手方向における中央部が、前記吸収性本体部から上方へと離れることを特徴とする吸収性物品。
【請求項２】
請求項１に記載の吸収性物品であって、
前記上シート部が、前記第３シート部の内側エッジから前記中心線から離れる方向に向かって前記第３シート部の上に広がる第４シート部をさらに備えることを特徴とする吸収性物品。
【請求項３】
請求項２に記載の吸収性物品であって、
前記第４シート部の内側エッジの沿って設けられ、前記内側エッジを収縮させる他の弾性部材をさらに備えることを特徴とする吸収性物品。
【請求項４】
請求項１ないし３のいずれかに記載の吸収性物品であって、
前記吸収性本体部が、
吸収コアと、
前記吸収コアの上に配置されたトップシートと、
前記吸収コアの下に配置されたバックシートと、
を備え、
前記吸収コアの側方にて、前記トップシートおよび前記バックシートの両側部が重ね合わされて接合され、さらに、一対のサイドシートに接合されることにより、前記下シート部および前記上シート部が形成されていることを特徴とする吸収性物品。
【請求項５】
請求項１ないし３のいずれかに記載の吸収性物品であって、
前記下シート部および前記上シート部が、前記吸収性本体部の両側部に接合された一対のサイドシートにて形成されていることを特徴とする吸収性物品。
【請求項６】
請求項１ないし５のいずれかに記載の吸収性物品であって、
前記下シート部が前記吸収性本体部の下面に重なる状態において、前記第１シート部の前記内側エッジが前記中心線に近接または重なることを特徴とする吸収性物品。
【請求項７】
請求項１ないし６のいずれかに記載の吸収性物品であって、
前記下シート部が、前記長手方向における前記吸収性本体部の前記両端部において、前記吸収性本体の下面に接合されることを特徴とする吸収性物品。
【請求項８】
請求項１ないし７のいずれかに記載の吸収性物品であって、
前記吸収性本体部が、高吸収性ポリマーまたは高吸収性ファイバーを含むことを特徴とする吸収性物品。
【請求項９】
請求項１ないし８のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側において安価な補助吸収具（いわゆる、尿取りパッド等）により着用者の排泄部を覆い、排泄後に補助吸収具のみを交換することが行われている。
【０００３】
例えば、特許文献１の使い捨ておむつでは、おむつ本体の股下領域に補助パッドの中央部が接合されており、補助パッドの両側部に設けられた弾性部材が収縮することにより、補助パッドの横断面が逆Ω状に変形して排泄物を受ける空間が形成される。
【０００４】
一方、特許文献２および特許文献３では、着用者の男性器を覆って尿を吸収する使い捨て男性用おむつが開示されている。当該使い捨て男性用おむつでは、おむつ本体のバックシートの両側部に２枚のシート材が接合されており、バックシートに重なる当該シート材をトップシート側に反転させることによりトップシートとシート材との間に空間が形成される。そして、２枚のシート材の間から当該空間に男性器を挿入することにより、使い捨て男性用おむつが着用者に装着される。
【先行技術文献】
【特許文献】
【０００５】
【特許文献１】特許第３０１２４２３号公報
【特許文献２】特開２００７−１６７２１０号公報
【特許文献３】特許第３８１８９２３号公報
【発明の概要】
【発明が解決しようとする課題】
【０００６】
ところで、特許文献１のような使い捨ておむつでは、補助パッドの幅はおむつ本体の幅以下となるため、補助パッドにより形成される空間をあまり大きくすることができない。このため、比較的多量の尿等が排泄された場合、尿の全量を当該空間に収容することができず、尿が補助パッドから外部へと漏れてしまうおそれがある。また、特許文献２および特許文献３のような使い捨て男性用おむつの構造は、男女共用の吸収性物品に応用することは困難である。
【０００７】
本発明は、上記課題に鑑みなされたものであり、吸収性物品の吸収性本体部と着用者との間に大きな空間を形成することを目的としている。
【課題を解決するための手段】
【０００８】
請求項１に記載の発明は、着用者からの排泄物を受ける吸収性物品であって、上面から排泄物の水分を吸収する略シート状の吸収性本体部と、前記吸収性本体部の下に配置される下シート部と、前記下シート部から連続するとともに前記吸収性本体部の両側部上に配置される上シート部と、前記上シート部の自由端に沿って設けられて前記自由端を収縮させる弾性部材とを備え、前記下シート部が、前記吸収性本体部の一対の側方エッジから前記吸収性本体部の長手方向に伸びる中心線に向かって前記吸収性本体部の下に広がる第１シート部と、前記第１シート部の内側エッジから前記中心線から離れる方向に向かって前記第１シート部の下に広がる第２シート部とを備え、前記上シート部が、前記第２シート部の外側エッジから前記中心線に向かって前記吸収性本体部の上に広がる第３シート部を備え、前記上シート部が、前記長手方向における前記吸収性本体部の両端部において前記吸収性本体部の前記上面に接合され、前記下シート部が広げられることにより、前記上シート部の前記長手方向における中央部が、前記吸収性本体部から上方へと離れる。
【０００９】
請求項２に記載の発明は、請求項１に記載の吸収性物品であって、前記上シート部が、前記第３シート部の内側エッジから前記中心線から離れる方向に向かって前記第３シート部の上に広がる第４シート部をさらに備える。
【００１０】
請求項３に記載の発明は、請求項２に記載の吸収性物品であって、前記第４シート部の内側エッジの沿って設けられ、前記内側エッジを収縮させる他の弾性部材をさらに備える。
【００１１】
請求項４に記載の発明は、請求項１ないし３のいずれかに記載の吸収性物品であって、前記吸収性本体部が、吸収コアと、前記吸収コアの上に配置されたトップシートと、前記吸収コアの下に配置されたバックシートとを備え、前記吸収コアの側方にて、前記トップシートおよび前記バックシートの両側部が重ね合わされて接合され、さらに、一対のサイドシートに接合されることにより、前記下シート部および前記上シート部が形成されている。
【００１２】
請求項５に記載の発明は、請求項１ないし３のいずれかに記載の吸収性物品であって、前記下シート部および前記上シート部が、前記吸収性本体部の両側部に接合された一対のサイドシートにて形成されている。
【００１３】
請求項６に記載の発明は、請求項１ないし５のいずれかに記載の吸収性物品であって、前記下シート部が前記吸収性本体部の下面に重なる状態において、前記第１シート部の前記内側エッジが前記中心線に近接または重なる。
【００１４】
請求項７に記載の発明は、請求項１ないし６のいずれかに記載の吸収性物品であって、前記下シート部が、前記長手方向における前記吸収性本体部の前記両端部において、前記吸収性本体の下面に接合される。
【００１５】
請求項８に記載の発明は、請求項１ないし７のいずれかに記載の吸収性物品であって、前記吸収性本体部が、高吸収性ポリマーまたは高吸収性ファイバーを含む。
【００１６】
請求項９に記載の発明は、請求項１ないし８のいずれかに記載の吸収性物品であって、着用者が着用する外装物品の内側に取り付けられる補助吸収具である。
【発明の効果】
【００１７】
本発明では、吸収性物品の吸収性本体部と着用者との間に大きな空間を形成することができる。また、請求項２および３の発明では、上シート部を着用者に密着させることができ、さらに、請求項３の発明では、上シート部の形状維持が容易とされる。請求項７の発明では、起立する部位の剛性を向上することができる。
【図面の簡単な説明】
【００１８】
【図１】第１の実施の形態に係る吸収性物品の平面図である。
【図２】吸収性物品の前方部における断面図である。
【図３】吸収性物品の中間部における断面図である。
【図４】吸収性物品の中間部における断面図である。
【図５】吸収性物品の中心線上における断面図である。
【図６】第２の実施の形態に係る吸収性物品の中間部における断面図である。
【図７】吸収性物品の中間部における断面図である。
【発明を実施するための形態】
【００１９】
図１は、本発明の第１の実施の形態に係る吸収性物品１の平面図である。吸収性物品１は、着用者が着用する外装物品である使い捨ておむつ等の内側に取り付けられ、着用者からの排泄物を受ける男女共用の補助吸収具である。図１では、着用者に接する面（すなわち、着用者側の面）を図中の手前側にして吸収性物品１を描いている。
【００２０】
図１に示すように、吸収性物品１は、平面視において略矩形状である略シート状の吸収性本体部２、および、吸収性本体部２の幅方向の両側（すなわち、図１中の左右方向の両側）において幅方向に垂直な長手方向のおよそ全長に亘って設けられる一対のサイドシート３を備える。吸収性物品１では、一対のサイドシート３が、吸収性本体部２の長手方向に伸びる中心線８１に対しておよそ線対称に設けられている。また、吸収性本体部２の上面２０４から排泄物の水分が吸収される。
【００２１】
吸収性本体部２の長手方向の両側の部位２０１，２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２２】
図２および図３はそれぞれ、吸収性物品１を、図１中に示す前方部２０１のＡ−Ａの位置、および、中間部２０２のＢ−Ｂの位置にて、吸収性物品１の長手方向に垂直な面で切断した断面図である。吸収性物品１では、後方部２０３の断面も図２に示す前方部２０１の断面と同様とされる。図２および図３では、着用者側の面を図中の上側にして吸収性物品１を描いている。以下の説明では、吸収性物品１の着用者側を「上側」といい、着用者側とは反対側を「下側」という。
【００２３】
図２および図３に示すように、吸収性本体部２は、吸収体である吸収コア２２、吸収コア２２の上に配置されて吸収コア２２の上面を覆う透液性のトップシート２１、吸収コア２２の下に配置されて吸収コア２２の下面を覆う撥水性または不透液性のバックシート２３、および、トップシート２１と吸収コア２２との間に配置される透液性の中間シート２４を備える。トップシート２１およびバックシート２３は、ホットメルト接着剤等により吸収コア２２の周囲にて互いに接合される。図１では、吸収コア２２の輪郭を太破線にて描いている。
【００２４】
トップシート２１は、親水性繊維（例えば、セルロースやレーヨン、コットン）により形成された透液性の不織布であり、着用者からの排泄物の水分を吸収コア２２へと移動させる。トップシート２１としては、例えば、ポイントボンド不織布やエアスルー不織布、スパンレース不織布が利用される。また、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、開孔を有するプラスチックフィルムが利用されてもよい。中間シート２４としては、例えば、透液性の不織布やティッシュペーパーが利用され、中間シート２４によりトップシート２１を透過した水分が拡散される。
【００２５】
吸収コア２２は、粒状の高吸収性ポリマー（ＳＡＰ（Super Absorbent Polymer））がバックシート２３上にホットメルト接着剤等により接合されることにより形成された吸収層であり、トップシート２１および中間シート２４を透過した水分を吸収して速やかに固定する。吸収コア２２は、高吸収性ファイバー（ＳＡＦ（Super Absorbent Fiber））がバックシート２３上にホットメルト接着剤等により接合されることにより形成されてもよい。なお、吸収コア２２は、例えば、親水性繊維（粉砕されたパルプ繊維やセルロース繊維等）に上述の高吸収性ポリマーや高吸収性ファイバーを混合したものを、ティッシュペーパーや透液性不織布等の被覆シートにより包み込んで形成されてもよい。
【００２６】
バックシート２３は、疎水性繊維（例えば、ポリプロピレン、ポリエチレン、ポリエステル、ポリアミド、ナイロン）により形成された撥水性または不透液性の不織布であり、トップシート２１を透過した水分が吸収性本体部２の外部へとしみ出すことを防止する。バックシート２３としては、例えば、スパンボンド不織布やメルトブロー不織布、ＳＭＳ（スパンボンド・メルトブロー・スパンボンド）不織布が利用される。また、バックシート２３として、撥水性または不透液性のプラスチックフィルムが利用されてもよく、当該プラスチックフィルムの外側に上述の不織布が積層された積層シートが利用されてもよい。なお、バックシート２３にプラスチックフィルムが利用される場合、当該プラスチックフィルムは透湿性（通気性）を有するものが好ましい。これにより、吸収性物品１のムレを防止して着用者の快適性を向上することができる。
【００２７】
図２および図３に示すように、吸収コア２２の側方では、重ね合わされて互いに接合されたトップシート２１およびバックシート２３の両側部が、吸収コア２２の側方エッジ２２１から幅方向の外側に離間した位置にてバックシート２３の下（すなわち、吸収コア２２の下方）へと折り返され、さらに、吸収コア２２の側方エッジ２２１よりも幅方向の内側にて下側かつ外側へと折り返される。以下の説明では、トップシート２１およびバックシート２３の側部のうち、吸収コア２２よりも下側にて２層になっている部位を上側からそれぞれ、「第１本体シート部２５１」および「第２本体シート部２５２」といい、第１本体シート部２５１と第２本体シート部２５２とをまとめて「本体シート部２５」という。また、第１本体シート部２５１が下側へ折り返される部位（すなわち、第１本体シート部２５１の幅方向の外側のエッジ）を、吸収性本体部２の「側方エッジ２６」という。
【００２８】
サイドシート３は、吸収性本体部２の下側において第２本体シート部２５２の下面にホットメルト接着剤等により接合され、第２本体シート部２５２から吸収性本体部２の中心線８１に向かって（すなわち、幅方向の内側に向かって）広がり、中心線８１近傍にて下側へ折り返されて中心線８１から離れる方向に向かって（すなわち、幅方向の外側に向かって）広がる。そして、吸収性本体部２の側方エッジ２６にて上側へ折り返されて吸収性本体部２の上方にて内側に向かって広がり、側方エッジ２６と中心線８１との間にて上側へ折り返されて外側に向かって広がる。本実施の形態では、第２本体シート部２５２の下面に連続的に塗布されたホットメルト接着剤５１により、サイドシート３が第２本体シート部２５２に接着される。図２および図３では、図の理解を容易にするために、ホットメルト接着剤５１を平行斜線を付す矩形にて描いている。また、他の部位の接合に利用されるホットメルト接着剤は、図示を適宜省略している。
【００２９】
以下の説明では、サイドシート３のうち第２本体シート部２５２に接合されて内側へと広がる接続シート部３１、および、当該接続シート部３１に接合される本体シート部２５を合わせて「第１シート部４１」という。換言すれば、吸収性本体部２の一対の側方エッジ２６から内側に向かって吸収性本体部２の下に広がる一対の部位をそれぞれ第１シート部４１という。また、サイドシート３のうち、第１シート部４１の内側エッジ４１１から外側に向かって第１シート部４１の下に広がる部位を「第２シート部３２」といい、第１シート部４１および第２シート部３２のように吸収性本体部２の下に配置されるシート部を合わせて「下シート部３０１」という。
【００３０】
さらに、サイドシート３のうち、第２シート部３２の外側エッジ３２１から内側に向かって吸収性本体部２の上に広がる部位を「第３シート部３３」といい、第３シート部３３の内側エッジ３３１から外側に向かって第３シート部３３の上に広がる部位を「第４シート部３４」という。また、第３シート部３３および第４シート部３４のように吸収性本体部２の両側部上に配置されるシート部を合わせて「上シート部３０２」という。
【００３１】
吸収性物品１では、第１シート部４１および第２シート部３２を備える下シート部３０１の一部が、本体シート部２５により形成され、下シート部３０１の他の部位がサイドシート３により形成される。換言すれば、吸収性本体部２の一対の本体シート部２５が一対のサイドシート３に接合されることにより、一対の下シート部３０１が形成される。また、一対の下シート部３０１から連続するとともに第３シート部３３および第４シート部３４を備える一対の上シート部３０２は、一対のサイドシート３により形成される。
【００３２】
第１シート部４１の内側エッジ４１１（すなわち、中心線８１側のエッジ）は、下シート部３０１が吸収性本体部２の下面２０５に重なる状態において、中心線８１に近接または重なる。下シート部３０１は、長手方向における吸収性本体部２の両端部（すなわち、前方部２０１および後方部２０３（図１参照））において、吸収性本体部２の下面２０５にホットメルト接着剤等により接合される。本実施の形態では、吸収性本体部２の下面２０５、または、サイドシート３の接続シート部３１の上面に間欠的に塗布されたホットメルト接着剤により、第１シート部４１の一部であるサイドシート３の接続シート部３１が吸収性本体部２に接着される。図２では、吸収性物品１の構造の理解を容易にするために、サイドシート３と吸収性本体部２の下面２０５との間に間欠的に塗布されたホットメルト接着剤を複数の×印にて示す。
【００３３】
上シート部３０２は、長手方向における吸収性本体部２の両端部（すなわち、前方部２０１および後方部２０３）において吸収性本体部２の上面２０４にホットメルト接着剤等により接合される。本実施の形態では、吸収性本体部２の上面２０４、または、第３シート部３３の下面に間欠的に塗布されたホットメルト接着剤により第３シート部３３が吸収性本体部２に接着され、第３シート部３３の上面、または、第４シート部３４の下面に間欠的に塗布されたホットメルト接着剤により第４シート部３４が第３シート部３３に接着される。また、吸収性本体部２の前端縁近傍および後端縁近傍において、左右方向に略平行な線状の領域にヒートシールが施されて上シート部３０２および下シート部３０１が吸収性本体部２に強固に接合される。図１では、吸収性物品１の構造の理解を容易にするために、上シート部３０２と吸収性本体部２との接合部に平行斜線を付す。また、図２では、吸収性本体部２と第３シート部３３との間、および、第３シート部３３と第４シート部３４との間に間欠的に塗布されたホットメルト接着剤を複数の×印にて示す。
【００３４】
吸収性物品１の中間部２０２では、図３に示すように、上シート部３０２は吸収性本体部２の上面２０４に非接合とされ、下シート部３０１は吸収性本体部２の下面２０５に非接合とされる。
【００３５】
図１ないし図３に示すように、吸収性物品１は、各サイドシート３において、第４シート部３４の外側エッジ３４１（すなわち、上シート部３０２の自由端）近傍に外側エッジ３４１に沿う２本の弾性部材６１を備え、また、第３シート部３３の内側エッジ３３１（すなわち、第４シート部３４の内側エッジ）に沿って設けられる１本の他の弾性部材６２を備える。以下の説明では、弾性部材６１，６２を区別するために、弾性部材６１を「外弾性部材６１」といい、弾性部材６２を「内弾性部材６２」という。外弾性部材６１および内弾性部材６２としては、ポリウレタンや天然ゴムにより形成された糸状または帯状の部材が利用され、本実施の形態では、外弾性部材６１および内弾性部材６２は弾性糸であるポリウレタン糸とされる。
【００３６】
外弾性部材６１および内弾性部材６２は、中間部２０２のおよそ全長に亘って伸張状態にてサイドシート３に接合され、外弾性部材６１が収縮することにより第４シート部３４の外側エッジ３４１が収縮し、内弾性部材６２が収縮することにより第３シート部３３の内側エッジ３３１が収縮する。吸収性物品１では、前方部２０１および後方部２０３において上シート部３０２が吸収性本体部２の上面２０４に固定された状態で、第４シート部３４の外側エッジ３４１および第３シート部３３の内側エッジ３３１が収縮することにより、中間部２０２において上シート部３０２が吸収性本体部２の上面２０４から離間する。
【００３７】
図４および図５は、吸収性物品１の着用時における断面図である。図４は、中間部２０２のＢ−Ｂの位置（図１参照）における長手方向に垂直な断面を示し、図５は、図１中のＣ−Ｃの位置における幅方向に垂直な断面を示す。図５では、吸収性物品１の形状の理解を容易にするために、断面よりも手前の部位である起立部３００（後述）を破線にて描いている。吸収性物品１が着用者に装着される際には、吸収性物品１の中間部２０２において、図３に示す吸収性本体部２の上面２０４を手で下向きに押す等して一対の下シート部３０１が広げられる。これにより、図４に示すように、一対の上シート部３０２の長手方向における中央部が起立して（すなわち、中間部２０２において一対の上シート部３０２が起立して）吸収性本体部２から上方へと離れ、一対の上シート部３０２および一対の下シート部３０１と吸収性本体部２とに囲まれた空間２００が中間部２０２に形成される。空間２００は、図５に示すように、中間部２０２のみに形成され、前方部２０１および後方部２０３には形成されない。
【００３８】
吸収性物品１では、使用前の状態において吸収性本体部２の下に折り畳まれている下シート部３０１が使用時に広げられることにより、図４に示すように、中間部２０２において吸収性本体部２の側方にて起立する部位（すなわち、下シート部３０１および上シート部３０２であり、以下、「起立部３００」という。）の高さが高くされる。これにより、吸収性本体部２と着用者との間に着用者の排泄部を覆う大きな空間２００を形成することができる。
【００３９】
その結果、排泄物の水分が吸収性本体部２により吸収されるまでの間、排泄物を空間２００にて保持（すなわち、仮貯溜）し、吸収性本体部２の広い範囲に排泄物を拡散させて吸収コア２２に吸収させることができる。このように、吸収性物品１では、吸収コア２２の広い範囲を利用して排泄物の水分を効率良く吸収することができるため、排泄物が吸収性物品１の外部へと漏れてしまうことを防止することができる。また、吸収性物品１は、使い捨ておむつ等の外装物品の内側にて着用者の肌の比較的狭い範囲を覆うとともに容易に交換可能な補助吸収具に特に適している。
【００４０】
ところで、使用前の状態において、サイドシートの折り畳まれた部位が吸収性本体部の上側（すなわち、トップシート上）のみに配置される吸収性物品を想定すると、このような吸収性物品では、トップシートがサイドシートにより完全に覆われてしまわないようにサイドシートの折り畳まれた部位の幅を小さくする必要があり、起立部をあまり高くすることができない。また、トップシートをサイドシートから露出させつつ起立部を高くするためにサイドシートを小さい幅で幾重にも折り重ねると、吸収性物品が嵩高になってしまう。
【００４１】
これに対し、本実施の形態に係る吸収性物品１では、図３に示すように、下シート部３０１が吸収性本体部２の下に折り畳まれているため、サイドシート３により吸収性本体部２のトップシート２１の大部分を覆ってしまうことを防止するとともに使用前の状態における吸収性物品１が嵩高になることを防止しつつ、下シート部３０１の幅を大きく確保することができ、起立部３００の高さを高くすることができる。その結果、吸収性物品１の吸収性本体部２と着用者との間に大きな空間２００を形成することができ、吸収コア２２の広い範囲を利用して排泄物の水分を効率良く吸収することができる。
【００４２】
また、吸収性物品１では、下シート部３０１が吸収性本体部２の下面２０５に重なる状態（図３参照）において、第１シート部４１の内側エッジ４１１が中心線８１に近接または重なることにより、使用前の状態における吸収性物品１が嵩高になることを防止しつつ起立部３００の高さをより高くすることができる。
【００４３】
排泄物を仮貯溜して吸収コア２２の広い範囲にて水分を吸収する吸収性物品１の構造は、水分の吸収速度が比較的低い高吸収性ポリマーまたは高吸収性ファイバーを含む吸収コア２２を備える吸収性物品に適しており、特に、高吸収性ポリマーまたは高吸収性ファイバーのみにより形成される吸収コア２２を備える吸収性物品に特に適している。また、吸収性本体部２の吸収コア２２が高吸収性ポリマーまたは高吸収性ファイバーを含むことにより、吸収性物品１が嵩高になることを防止し、吸収性物品１の着用感を向上することができる。
【００４４】
上述のように、上シート部３０２は、第３シート部３３の内側エッジ３３１から外側に向かって広がる第４シート部３４を備えている。吸収性物品１が着用者に装着される際には、図４に示す幅が大きい第４シート部３４の上面３４２が、着用者の足の付け根近傍の部位の形状に沿って変形しつつ当該部位の肌に面状に密着する。吸収性物品１では、上シート部３０２を着用者に密着させることができるため、排泄物が吸収性物品１の外部へと漏れてしまうことがさらに防止される。
【００４５】
上シート部３０２では、外弾性部材６１および内弾性部材６２により、第４シート部３４の外側エッジ３４１および内側エッジ（すなわち、第３シート部３３の内側エッジ３３１）が長手方向に収縮されることにより、第４シート部３４および上シート部３０２の形状維持が容易とされる。
【００４６】
吸収性物品１では、図２に示すように、下シート部３０１が前方部２０１および後方部２０３において吸収性本体部２の下面２０５に接合されることにより、中間部２０２における起立部３００（すなわち、下シート部３０１および上シート部３０２）の剛性が向上され、起立部３００が幅方向に必要以上に広がってしまうことが防止される。その結果、起立部３００の高さを高く維持することができる。
【００４７】
上記実施の形態に係る吸収性物品１では、図３に示すように、第１シート部４１が本体シート部２５とサイドシート３の接続シート部３１とが接合されることにより形成されており、本体シート部２５は、トップシート２１とバックシート２３とが接合された２層構造の部位であるため、サイドシート３に比べて厚く剛性が高い。このような本体シート部２５が、図４に示すように、起立部３００の下部（すなわち、下シート部３０１）に配置されることにより、起立部３００の剛性をより向上して起立部３００の高さを高く維持することができる。
【００４８】
また、吸収性物品１では、図３に示すように、本体シート部２５が、吸収性本体部２の側方エッジ２６から内側に向かって広がる第１本体シート部２５１、および、第１本体シート部２５１の内側エッジから外側に向かって広がる第２本体シート部２５２を備え、第２本体シート部２５２にサイドシート３の接続シート部３１が接合されることにより第１シート部４１が形成される。これにより、図４に示すように起立部３００が起立した状態において、サイドシート３が折り重ねられた部位が下シート部３０１に設けられることとなり、起立部３００の剛性をさらに向上することができる。
【００４９】
次に、本発明の第２の実施の形態に係る吸収性物品について説明する。図６は、第２の実施の形態に係る吸収性物品１ａの中間部における断面を示す図であり、第１の実施の形態における図３に対応する。図６に示すように、吸収性物品１ａでは、トップシート２１およびバックシート２３の両側部が下側へと折り返されておらず、サイドシート３の接続シート部３１が、吸収性本体部２の両側部の側方エッジ２６近傍にて吸収性本体部２の下面２０５に接合される。吸収性物品１ａのその他の構成は、図１ないし図５に示す吸収性物品１と同様であり、以下の説明において対応する構成に同符号を付す。
【００５０】
図６に示すように、吸収性物品１ａでは、一対のサイドシート３の接続シート部３１が、吸収性本体部２の一対の側方エッジ２６から内側に向かって吸収性本体部２の下に配置される一対の第１シート部となっており、一対の下シート部３０１および一対の上シート部３０２が、一対のサイドシート３にて形成されている。以下の説明では、サイドシート３の接続シート部３１を「第１シート部３１」という。
【００５１】
吸収性物品１ａが着用者に装着される際には、図７に示すように、吸収性物品１ａの中間部２０２（図１参照）において一対の下シート部３０１が広げられることにより、第１の実施の形態と同様に、一対の起立部３００（すなわち、下シート部３０１および上シート部３０２）が高く起立し、吸収性本体部２と着用者との間に大きな空間２００が形成される。その結果、吸収コア２２の広い範囲を利用して排泄物の水分を効率良く吸収することができ、排泄物が吸収性物品１ａの外部へと漏れてしまうことを防止することができる。
【００５２】
第２の実施の形態に係る吸収性物品１ａでは、図６に示すように、吸収性本体部２の両側部を折り返すことなく、吸収性本体部２の下面２０５にサイドシート３を接合することにより下シート部３０１の第１シート部３１を形成することができるため、吸収性物品１ａの製造を簡素化することができる。
【００５３】
吸収性物品１ａでは、第１の実施の形態と同様に、下シート部３０１が吸収性本体部２の下面２０５に重なる状態において、第１シート部３１の内側エッジ３１１が中心線８１に近接または重なることにより、使用前の状態における吸収性物品１ａが嵩高になることを防止しつつ、図７に示す起立部３００の高さをより高くすることができる。また、吸収性本体部２が高吸収性ポリマーまたは高吸収性ファイバーを含むことにより、吸収性物品１ａが嵩高になることを防止し、吸収性物品１ａの着用感を向上することができる。
【００５４】
さらに、上シート部３０２が、第３シート部３３の内側エッジ３３１から外側に向かって広がる第４シート部３４を備えることにより、上シート部３０２を着用者に密着させることができる。上シート部３０２では、外弾性部材６１および内弾性部材６２により、第４シート部３４の外側エッジ３４１および内側エッジ（すなわち、第３シート部３３の内側エッジ３３１）が長手方向に収縮されることにより、上シート部３０２の形状維持が容易とされる。また、下シート部３０１が前方部２０１および後方部２０３（図１参照）において吸収性本体部２の下面２０５に接合されることにより、起立部３００の剛性を向上して起立部３００の高さを高く維持することができる。
【００５５】
以上、本発明の実施の形態について説明してきたが、本発明は上記実施の形態に限定されるものではなく、様々な変更が可能である。
【００５６】
例えば、吸収性物品では、上シート部３０２から第４シート部３４が省略されてもよい。この場合、第３シート部３３の内側エッジ３３１が上シート部３０２の自由端となり、当該自由端は、自由端に沿って設けられた弾性部材が収縮することにより収縮する。
【００５７】
上記実施の形態に係る吸収性物品では、下シート部３０１において、第１シート部の少なくとも一部がサイドシート３により形成されるが、互いに接合されたトップシート２１およびバックシート２３の側端部である本体シート部２５により第１シート部全体が形成されてもよく、本体シート部２５が複数回折り返されることにより、例えば、下シート部３０１全体が本体シート部２５により形成されてもよい。このように、トップシート２１とバックシート２３とが積層された一対の本体シート部２５が一対のサイドシート３に接合されて下シート部３０１および上シート部３０２が形成されることにより、起立部３００の剛性が向上される。なお、吸収性物品では、下シート部３０１および上シート部３０２全体がトップシート２１およびバックシート２３により形成されてもよい。
【００５８】
吸収性物品では、起立部３００の高さを十分に高く維持することができる場合は、前方部２０１および後方部２０３において、下シート部３０１は必ずしも吸収性本体部２の下面２０５に接合される必要はない。
【００５９】
上述の吸収性物品の構造は、外装物品の内側に取り付けられる補助吸収具以外にも、例えば、着用者の腹側に当接する部位と背側に当接する部位とを腰回りで止着して着用するオープンタイプの使い捨ておむつに適用されてよい。
【符号の説明】
【００６０】
１，１ａ  吸収性物品
２  吸収性本体部
３  サイドシート
２１  トップシート
２２  吸収コア
２３  バックシート
２５  本体シート部
２６  側方エッジ
３１，４１  第１シート部
３２  第２シート部
３３  第３シート部
３４  第４シート部
６１  外弾性部材
６２  内弾性部材
８１  中心線
２０１  前方部
２０２  中間部
２０３  後方部
２０４  上面
２０５  下面
３００  起立部
３０１  下シート部
３０２  上シート部
３１１，４１１  内側エッジ
３２１  外側エッジ
３３１  内側エッジ
３４１  外側エッジ
【図１】
2010273875.tif 000003
【図２】
2010273875.tif 000004
【図３】
2010273875.tif 000005
【図４】
2010273875.tif 000006
【図５】
2010273875.tif 000007
【図６】
2010273875.tif 000008
【図７】
2010273875.tif 000009